(57)【要約】【課題】  大容量記録媒体を扱える記録再生装置で初期化された記録媒体を、従来の記録再生装置で再初期化することなく利用できる記録媒体を提供することを目的とする。【解決手段】  読み書き可能な記録媒体１００において、データ領域１６０と当該データ領域のシステム情報領域１５０を持つ第１メモリ１４０と、データ領域１６０の特定領域に対するシステム情報を格納する第２メモリ１７０と、記録再生装置が記録媒体１００を初期化しようとする動きを検出する初期化動作検出手段３１０を備え、初期化動作検出手段３１０が記録再生装置によって現状のＦＡＴ３２のファイルシステムと異なるＦＡＴ１６のファイルシステムで初期化しようとしていることを検出すると、検出したＦＡＴ１６のファイルシステムのシステム情報を第２メモリ１７０に格納し、特定のイベントが発生するまで、第２メモリ１７０を記録媒体１００のシステム情報領域として動作させる。【選択図】      図１
2006209562.tif 000002
【特許請求の範囲】
【請求項１】
外部の記録再生装置に接続して使用する読み書き可能な記録媒体であって、
前記記録再生装置と接続されるインターフェースと、
前記記録媒体固有の特性値を保持する内部レジスタと、
データ領域と当該データ領域のシステム情報領域とを持つ第一の記憶手段と、
前記データ領域の特定領域に対するシステム情報を格納する第二の記憶手段と、
前記記録再生装置の指示や前記内部レジスタの値に基づいて前記第一の記憶手段および第二の記憶手段を制御するコントローラと、
前記記録再生装置が前記記録媒体を初期化しようとする動きを検出する初期化動作検出手段
を備え、
前記初期化動作検出手段が前記記録再生装置によって既に初期化されている前記記録媒体を初期化されている第一の記憶手段のファイルシステムとは異なるファイルシステムで初期化しようとしていることを検出したとき、
前記コントローラは検出したファイルシステムのシステム情報を第二の記憶手段に格納し、
次に特定のイベントが発生するまで、前記第二の記憶手段を前記記録媒体のシステム情報領域として動作すること
を特徴とする記録媒体。
【請求項２】
前記データ領域の特定領域は、データ領域の初めから連続して確保すること
を特徴とする請求項１に記載の記録媒体。
【請求項３】
前記データ領域の特定領域は、データ領域の未記録領域を選択して確保すること
を特徴とする請求項１に記載の記録媒体。
【請求項４】
前記記録媒体を初期化しようとする動きは、前記第一の記憶手段のシステム情報の領域を上書きするコマンドであること
を特徴とする請求項１に記載の記録媒体。
【請求項５】
前記記録媒体を初期化しようとする動きは、前記記録再生装置より送出される初期化コマンドであること
を特徴とする請求項１に記載の記録媒体。
【請求項６】
前記コントローラは、第二のファイルシステムをもとに動作中においても、第一の記憶手段のシステム情報領域にも第一のファイルシステムに応じたシステム情報の変更を行うこと
を特徴とする請求項１に記載の記録媒体。
【請求項７】
前記特定のイベントは、電源が遮断されることであること
を特徴とする請求項１に記載の記録媒体。
【請求項８】
前記特定のイベントは、前記初期化動作検出手段が、前記第一の記憶手段が既に使用されている間に、前記記録再生装置によって前記記録媒体を前記第一の記憶手段のファイルシステムと同じファイルシステムで初期化しようとする動きを検出したときであること
を特徴とする請求項１に記載の記録媒体。
【請求項９】
前記特定のイベントは、前記記録媒体を使用してから一定の時間を経過したときであること
を特徴とする請求項１に記載の記録媒体。
【請求項１０】
前記特定のイベントは、記録媒体に外部のスイッチを付加しこの外部のスイッチの動作を確認したときであること
を特徴とする請求項１に記載の記録媒体。
【請求項１１】
前記コントローラは、第一の記憶手段のファイルシステムをもとに動作中において、前記初期化動作検出手段が、前記記録再生装置によって前記第一の記憶手段のファイルシステムと同じファイルシステムで初期化しようとする動きを検出したとき、前記第一の記憶手段のシステム情報領域に、初期化しようとしているファイルシステムのシステム情報を格納し、前記第二の記憶手段をクリアすること
を特徴とする請求項１に記載の記録媒体。
【請求項１２】
前記コントローラは、第二の記憶手段のファイルシステムをもとに動作中において、前記初期化動作検出手段が、前記記録再生装置によって初期化しようとする動きを検出したとき、前記第一の記憶手段のシステム情報領域に初期化しようとしているファイルシステムのシステム情報を格納し、前記第二の記憶手段をクリアすること
を特徴とする請求項１に記載の記録媒体。
【請求項１３】
外部の記録再生装置に接続して使用する読み書き可能な記録媒体で記憶領域切り替え方法であって、
前記記録媒体に、複数のクラスタからなるデータ領域と該データ領域のシステム情報領域とを有す第一の記憶手段と、前記データ領域の特定領域に対するシステム情報を格納する第二の記憶手段を設け、
前記第一の記憶手段のシステム情報領域に、第一のファイルシステムのシステム情報を記憶されているとき、前記第一のファイルシステムとは異なる第二のファイルシステムのシステム情報の書き込みを検出すると、前記第二の記憶手段に前記第二のファイルシステムのシステム情報を記憶し、
前記第一の記憶手段のデータ領域のクラスタの中で、データが記憶されていない、前記第二のファイルシステムで使用可能な未使用クラスタを検索し、これらを一つの連続している空間として扱えるようにし、
これらクラスタに対して、前記第二の記憶手段を前記記録媒体のシステム情報領域として動作させて、リード処理・ライト処理を実行すること
を特徴とする記録媒体の記憶領域切り替え方法。
【請求項１４】
前記第一の記憶手段のシステム情報領域に第一のファイルシステムのシステム情報を記憶され、前記第二の記憶手段に前記第二のファイルシステムのシステム情報が記憶されているとき、
新たにこの記録媒体に、新たに前記第二のファイルシステムを使用する記録再生装置が接続されると、前記第一の記憶手段のデータ領域のクラスタで、データが記憶されていない、前記第二のファイルシステムで使用可能な未使用クラスタを新たに検索し、これらを一つの連続している空間として扱えるようにし、
これらクラスタに対して、前記第二の記憶手段を前記記録媒体のシステム情報領域として動作させて、リード処理・ライト処理を実行すること
を特徴とする請求項１３に記載の記録媒体の記憶領域切り替え方法。
【発明の詳細な説明】
【技術分野】
【０００１】
本発明は、記憶領域を切り替えることができる記録媒体、および記憶領域切り替え方法に関するものである。
【背景技術】
【０００２】
デジタルカメラや携帯電話などの記録再生装置は、コンパクトフラッシュ（登録商標）やＳＤ（Ｓｅｃｕｒｅ  Ｄｉｇｉｔａｌ）カードに代表されるフラッシュメモリを用いたメモリカードを記録媒体とする。近年、半導体技術や実装技術の進展に伴い、メモリカードの容量は２ギガバイトを超えようとしている。
【０００３】
またメモリカードの容量に関していえば、カード装置（記録媒体）に通信機能を持たせ、インターネットを介して数十ギガバイトの容量を持つ磁気ディスク装置に接続を可能とし、磁気ディスク装置を仮想的にメモリカードとして見せるカード装置も提案されている（例えば、特許文献１参照。）。
一方、従来の多くの記録再生装置は、代表的なファイルシステムであるＦＡＴ１６（Ｆｉｌｅ  Ａｌｌｏｃａｔｉｏｎ  Ｔａｂｌｅ  １６）を用いて、記録媒体内の静止画ファイルや動画ファイルなどを管理している。しかし、ＦＡＴ１６は、クラスタを管理するアドレスが１６ビットのファイルシステムであり、クラスタサイズを３２キロバイトとすると、ＦＡＴ１６ファイルシステムで管理できる容量は、最大２ギガバイトでしかない。従って、従来のＦＡＴ１６の記録再生装置において、容量が２ギガバイトを超える記録媒体を利用する場合、２ギガバイトを超える領域を容易に取り扱えないという課題がある。
【０００４】
この課題を解決する従来のメモリカード及び記憶領域切り替え方法では、２ギガバイト以内の複数の記憶領域を持つメモリカードにメカニカルスイッチを具備させ、メカニカルスイッチにより複数の記憶領域の中から一つを選択できるようにしている（例えば、特許文献２参照。）。
【特許文献１】特開２００４−２１３４８７号公報
【特許文献２】特開２００４−８６５０３号公報
【発明の開示】
【発明が解決しようとする課題】
【０００５】
しかしながらパーソナルコンピュータでは、ＦＡＴ３２やＮＴＦＳ（Ｎｅｗ  Ｔｅｃｈｎｏｌｏｇｙ  Ｆｉｌｅ  Ｓｙｓｔｅｍ）とよばれる大容量を扱えるファイルシステムが使用されており、この大容量を扱えるファイルシステムで初期化されている記録媒体を従来のＦＡＴ１６の記録再生装置で扱おうとすると、ファイルシステムを認識できないため、記録媒体を初期化するしかない。記録媒体を初期化することにより２ギガバイトの空間を新規に使用することは可能であるが、大容量を扱えるファイルシステムで既に使用していた領域が、初期化されるという課題を有していた。
【０００６】
また、メモリカードの形状は規格で決まっている。例えば、ＳＤカードの場合はＳＤメモリカード規格により、外形寸法が２４．０ｍｍ（Ｗ）×３２．０ｍｍ（Ｌ）×２．１ｍｍ（Ｔ）であり、ライトプロテクト用のスイッチの位置も決められている。新たに、複数の記憶領域の中から一つを選択するメカニカルスイッチを追加するには、新たに規格を策定しなければならないという課題がある。
【０００７】
そこで、本発明は、大容量を扱えるファイルシステムで既に使用していた記録媒体を、定められた形状の変更を伴うこと無く、新たに初期化することも無く従来のＦＡＴ１６の記録再生装置で使用可能な記憶領域を選択することができる記録媒体および記憶領域切り替え方法を提供することを目的としたものである。
【課題を解決するための手段】
【０００８】
前記従来の課題を解決するために、本発明の記録媒体は、外部の記録再生装置に接続して使用する読み書き可能な記録媒体であって、前記記録再生装置と接続されるインターフェースと、前記記録媒体固有の特性値を保持する内部レジスタと、データ領域と当該データ領域のシステム情報領域とを持つ第一の記憶手段と、前記データ領域の特定領域に対するシステム情報を格納する第二の記憶手段と、前記記録再生装置の指示や前記内部レジスタの値に基づいて前記第一の記憶手段および第二の記憶手段を制御するコントローラと、前記記録再生装置が前記記録媒体を初期化しようとする動きを検出する初期化動作検出手段を備え、前記初期化動作検出手段が前記記録再生装置によって既に初期化されている前記記録媒体を初期化されている第一の記憶手段のファイルシステムとは異なるファイルシステムで初期化しようとしていることを検出したとき、前記コントローラは検出したファイルシステムのシステム情報を第二の記憶手段に格納し、次に特定のイベントが発生するまで、前記第二の記憶手段を前記記録媒体のシステム情報領域として動作することを特徴とするものである。
【０００９】
さらに記録媒体において、前記データ領域の特定領域は、データ領域の初めから連続して確保することを特徴とするものである。
さらに記録媒体において、前記データ領域の特定領域は、データ領域の未記録領域を選択して確保することを特徴とするものである。
【００１０】
さらに記録媒体において、前記記録媒体を初期化しようとする動きは、前記第一の記憶手段のシステム情報の領域を上書きするコマンドであることを特徴とするものである。
さらに記録媒体において、前記記録媒体を初期化しようとする動きは、前記記録再生装置より送出される初期化コマンドであることを特徴とするものである。
【００１１】
さらに記録媒体において、前記コントローラは、第二のファイルシステムをもとに動作中においても、第一の記憶手段のシステム情報領域にも第一のファイルシステムに応じたシステム情報の変更を行うことを特徴とするものである。
【００１２】
さらに記録媒体において、前記特定のイベントは、電源が遮断されることであることを特徴とするものである。
さらに記録媒体において、前記特定のイベントは、前記初期化動作検出手段が、前記第一の記憶手段が既に使用されている間に、前記記録再生装置によって前記第一の記録媒体を前記第一の記憶手段のファイルシステムと同じファイルシステムで初期化しようとする動きを検出したときであることを特徴とするものである。
【００１３】
さらに記録媒体において、前記特定のイベントは、前記記録媒体を使用してから一定の時間を経過したときであることを特徴とするものである。
さらに記録媒体において、前記特定のイベントは、記録媒体に外部のスイッチを付加しこの外部のスイッチの動作を確認したときであることを特徴とするものである。
【００１４】
さらに記録媒体において、前記コントローラは、第一の記憶手段のファイルシステムをもとに動作中において、前記初期化動作検出手段が、前記記録再生装置によって前記第一の記憶手段のファイルシステムと同じファイルシステムで初期化しようとする動きを検出したとき、前記第一の記憶手段のシステム情報領域に初期化しようとしているファイルシステムのシステム情報を格納し、第二の記憶手段をクリアすることを特徴とするものである。
【００１５】
さらに記録媒体において、前記コントローラは、第二の記憶手段のファイルシステムをもとに動作中において、前記初期化動作検出手段が、前記記録再生装置によって初期化しようとする動きを検出したとき、前記第一の記憶手段のシステム情報領域に初期化しようとしているファイルシステムのシステム情報格納し、第二の記憶手段をクリアすることを特徴とするものである。
【００１６】
さらに本発明の記憶領域切り替え方法は、外部の記録再生装置に接続して使用する読み書き可能な記録媒体で記憶領域切り替え方法であって、前記記録媒体に、複数のクラスタからなるデータ領域と該データ領域のシステム情報領域とを有す第一の記憶手段と、前記データ領域の特定領域に対するシステム情報を格納する第二の記憶手段を設け、前記第一の記憶手段のシステム情報領域に、第一のファイルシステムのシステム情報を記憶されているとき、前記第一のファイルシステムとは異なる第二のファイルシステムのシステム情報の書き込みを検出すると、前記第二の記憶手段に前記第二のファイルシステムのシステム情報を記憶し、前記第一の記憶手段のデータ領域のクラスタの中で、データが記憶されていない、前記第二のファイルシステムで使用可能な未使用クラスタを検索し、これらを一つの連続している空間として扱えるようにし、これらクラスタに対して、前記第二の記憶手段を前記記録媒体のシステム情報領域として動作させて、リード処理・ライト処理を実行することを特徴とするものである。
【００１７】
さらに記憶領域切り替え方法において、前記第一の記憶手段のシステム情報領域に第一のファイルシステムのシステム情報を記憶され、前記第二の記憶手段に前記第二のファイルシステムのシステム情報が記憶されているとき、新たにこの記録媒体に、新たに前記第二のファイルシステムを使用する記録再生装置が接続されると、前記第一の記憶手段のデータ領域のクラスタで、データが記憶されていない、前記第二のファイルシステムで使用可能な未使用クラスタを新たに検索し、これらを一つの連続している空間として扱えるようにし、これらクラスタに対して、前記第二の記憶手段を前記記録媒体のシステム情報領域として動作させて、リード処理・ライト処理を実行することを特徴とするものである。
【発明の効果】
【００１８】
本発明の記録媒体および記憶領域切り替え方法は、大容量を扱えるファイルシステム（例えばＦＡＴ３２）で初期化されている記録媒体においても、従来のファイルシステム（例えばＦＡＴ１６）の記録再生装置において初期化を伴わずに記録媒体内にある記憶領域を使用することができ、異なるファイルシステムの機器で１つの記録媒体を共用できる、という効果を有している。
【発明を実施するための最良の形態】
【００１９】
以下、本発明の実施の形態を、図面を参照しながら説明する。
図１は、本発明の実施の形態における記録媒体のブロック図である。
図１において、１００はＳＤメモリカードを想定している記録媒体であり、この記録媒体１００は、記録再生装置（図示せず）との信号のやり取りを行うインターフェース１１０と、コントローラ１２０（後述する）と、記録媒体１００の固有情報を保存している内部レジスタ１３０と、記録媒体１００のファイルシステムを格納するシステム情報領域１５０およびデータ領域１６０からなる第１メモリ（第一の記憶手段の一例）１４０と、第１メモリ１４０のデータ領域１６０の特定領域に対するファイルシステムを格納する第２メモリ（第二の記憶手段）１７０を備えている。
【００２０】
前記コントローラ１２０は、ＳＤメモリカードの規格に従って、記録再生装置との通信プロトコルの制御や内部レジスタ１３０、第１メモリ１４０や第２メモリ１７０とのアクセスを行う。
【００２１】
図２は、本発明の実施の形態におけるインターフェース１１０の詳細図である。
ＳＤメモリカードにおいて、インターフェース１１０は、図２に示すように、外部の記録再生装置と接続される複数（９個）の端子とインターフェースドライバ２００から構成されている。９個の端子のうち、端子ＶＤＤと端子ＶＳＳ１、端子ＶＳＳ２により、記録媒体１００は記録再生装置から電源を供給される。また、端子ＣＬＫより記録再生装置から記録媒体１００へクロック信号が供給され、記録再生装置と記録媒体１００との間で、前記クロック信号に同期したコマンドやレスポンス等が端子ＣＭＤを介して送受信され、また端子ＤＡＴ０、端子ＤＡＴ１、端子ＤＡＴ２、端子ＤＡＴ３を介してデータが送受信される。
【００２２】
インターフェースドライバ２００は、ＳＤメモリカードの規格に従って、端子からコマンドやデータを取り込んだり、レスポンスやデータを端子へ出力したり、コントローラ１２０とのコマンド、レスポンスの送受信、アドレスの送信、メモリ（記憶手段）のデータの送受信や、内部レジスタ値の受信を行う。なお、端子ＤＡＴ３と兼用の端子ＣＤは、カードが記録再生装置と接続されているかどうかの検出に用いられる。
【００２３】
図３は、本発明の実施の形態におけるコントローラ１２０のブロック構成および周辺ブロックとの接続を示す図である。
コントローラ１２０は、図３に示すように、記録再生装置が記録媒体１００を初期化しようとする動きを検出する初期化動作検出手段３１０を備えコマンド解釈やレスポンスを作成するコマンドデコーダ３００と、コマンドデコーダ３００からのアドレス取得タイミング信号３０３に応答してアドレスを取得するアドレス取得手段３３０と、初期化動作検出手段３１０からのアドレス変換信号３１１に応答してアドレスを変換するアドレス変換手段３４０を備えたメモリインターフェース３５０とから構成されている（詳細は後述する）。また図３において、３０１はコマンド、３０２はレスポンス、３０４は内部レジスタアドレス、３０５は内部レジスタ値、３０６はアドレス、３０７はデータ、３０８はメモリアクセスタイミング信号、３３１は取得アドレス、３５１はメモリ制御信号、３５２はメモリアドレス、３５３はメモリデータを表している。
【００２４】
前記コマンドデコーダ３００は、インターフェース１１０経由で記録再生装置から受信したコマンド３０１、アドレス３０６、およびデータ３０７を解釈して、記録再生装置にレスポンス３０２やデータ３０７をインターフェース１１０経由で送信する。またコマンドデコーダ３００は、コマンド３０１に基づいてアドレス取得タイミング信号３０３、メモリアクセスタイミング信号３０８を出力し、さらにコマンド３０１に基づいて内部レジスタアドレス３０４を出力し内部レジスタ値３０５を記録再生装置へデータ３０７として読み出す。またコマンドデコーダ３００の初期化動作検出手段３１０は、記録再生装置からのメモリ（記憶手段）の初期化処理を検出して、アドレス変換信号３１１を出力する。
【００２５】
前記メモリインターフェース３５０は、バッファリングしたデータ３０７をアドレス変換手段３４０でアドレス変換信号３１１を基に変換された物理アドレスにしたがって第１メモリ１４０や第２メモリ１７０に書き込んだり、アドレス変換手段３４０でアドレス変換信号３１１を基に変換された物理アドレスにしたがって第１メモリ１４０や第２メモリ１７０から読み出したりする。
［ＦＡＴ３２で初期化、ライト処理・リード処理］
図３を用いて、「未使用」の記録媒体１００がＦＡＴ３２のファイルシステム（第一のファイルシステムの一例）の記録再生装置で初期化され、ライト処理やリード処理を行う動作について説明する。
【００２６】
ＦＡＴ３２のファイルシステムの記録再生装置は、未使用の記録媒体１００が挿入されたことを検知すると、接続時の処理として記録媒体１００の固有情報を取得するために、内部レジスタ１３０を読み出すコマンドを記録媒体１００へ発行する。
【００２７】
記録媒体１００のコマンドデコーダ３００は、内部レジスタ１３０を読み出すコマンドであることを解釈すると、コマンドに対応する内部レジスタアドレス３０４を出力し、アドレスに応じた内部レジスタ値３０５を取り込み、レスポンス３０２と内部レジスタ値３０５からなるデータ３０７をインターフェース１１０を介して記録再生装置に返送する。インターフェース１１０は、ＳＤメモリカードの規格に従って記録再生装置と通信を行うことになる。
【００２８】
記録再生装置は、インターフェース１１０を介して入力したデータ３０７により記録媒体１００の固有情報を取得する。
実際には、上記レジスタアクセスを何度か繰り返し、記録再生装置は、動作電源電圧やカードのアドレス、通信クロック周波数などの記録媒体１００の固有情報を取得し、取得した固有情報に基づいて、記録媒体１００に最適な電源やクロック周波数を設定する（以降これらの一連の処理を仕様確認シーケンスと呼ぶ）。
【００２９】
仕様確認シーケンスが終了した記録再生装置は、次に記録媒体１００が取り扱い可能なファイルシステムかどうかの確認を行うために、第１メモリ１４０のシステム情報領域１５０のマスターブートレコード／パーティションテーブル、パーティションブートセクタを読み出すためのリードコマンド（読み出しコマンド）を記録媒体１００へ発行する。
【００３０】
コマンドデコーダ３００は、システム情報領域１５０を読み出すコマンドであることを解釈すると、コマンドに対応するアドレス取得タイミング信号３０３を出力し、アドレス取得手段３３０によってアドレスを取得する。
【００３１】
メモリインターフェース３５０は、初期化動作検出手段３１０からアドレス変換信号３１１がディセーブル状態であるため、アドレス変換手段３４０を使用することなく、アドレス取得手段３３０から出力された取得アドレス３３１に応じたメモリアドレス３５２、メモリ制御信号３５１を出力し、第１メモリ１４０のシステム情報領域１５０のメモリデータ３５３を取り込む。そして、レスポンス３０２とデータ３０７をインターフェース１１０に返送し、インターフェース１１０は、ＳＤメモリカードの規格に従って記録再生装置と通信を行う。
【００３２】
記録再生装置は、読み出したマスターブートレコードのパーティションタイプと、パーティションブートセクタのセクタに関するいくつかのパラメータから計算した総クラスタの数を基に、記録媒体１００が取り扱い可能なファイルシステムかどうかの確認を行う。尚、本確認の方法は、一例であり、記録再生装置によって自由に変更することが可能である（以降これらの一連の処理をファイルシステム確認シーケンスと呼ぶ）。
【００３３】
記録再生装置は、ファイルシステム確認シーケンスにおいて、記録媒体１００が未使用の為取り扱い不可能なファイルシステムと判断した場合、記録媒体１００が取り扱い可能なファイルシステムになるように第１メモリ１４０のシステム情報領域１５０に、マスターブートレコード／パーティションテーブル、パーティションブートセクタ、ファイルアロケーションテーブル１、２、ルートディレクトリを書き込むコマンド（初期化のために第１メモリ１４０のシステム情報領域１５０を上書きするコマンド／記録再生装置より送出される初期化コマンドに相当する）を記録媒体１００へ発行する（以降これらの一連の処理をフォーマットシーケンスと呼ぶ）（ユーザインターフェースを保有する記録再生装置では、フォーマットシーケンスを開始する前に、フォーマットシーケンス動作を行うかどうかの確認を行う場合が多い）。
【００３４】
コマンドデコーダ３００は、システム情報領域１５０に書き込むコマンドであることを解釈すると、このコマンドに対応するアドレス取得タイミング信号３０３を出力し、アドレス取得手段３３０によってアドレスを取得する。コマンドデコーダ３００の初期化動作検出手段３１０は、マスターブートレコード／パーティションテーブル、パーティションブートセクタのセクタアドレスに対する書き込みを検出し、第１メモリ１４０のシステム情報領域１５０のファイルシステムが未使用であり、データ３０７からＦＡＴ３２の書き込みであることを確認すると、アドレス変換信号３１１はディセーブル状態のままで、コマンドデコーダ３００よりメモリアクセスタイミング信号３０８をメモリインターフェース３５０へ出力する。
【００３５】
メモリインターフェース３５０は、第１メモリ１４０のシステム情報領域１５０に、ＦＡＴ３２に対応したマスターブートレコード／パーティションテーブル、パーティションブートセクタ、ファイルアロケーションテーブル１、２、ルートディレクトリを書き込み、コマンドレコーダ３００はレスポンス３０２をインターフェース１１０に返送する。インターフェース１１０は、ＳＤメモリカードの規格に従って記録再生装置と通信を行う。
【００３６】
記録再生装置は、入力したレスポンス３０２により、記録媒体１００が取り扱い可能なファイルシステムになるように第１メモリ１４０のシステム情報領域１５０に、マスターブートレコード／パーティションテーブル、パーティションブートセクタ、ファイルアロケーションテーブル１、２、ルートディレクトリを書き込まれたことを確認する。
【００３７】
以上により初期化が終了する。
図４に、フォーマットシーケンスが終了した記憶手段１００の構成図を示す。記憶手段１００は、複数のセクタから構成されたクラスタと呼ばれる領域の集合体で構成されている。第１メモリ１４０は、４０個のクラスタ（本実施の形態では、１クラスタの容量は２００メガバイト、１クラスタあたり６４セクタとする）で構成され、トータルの容量は８ギガバイトである。システム情報領域１５０は、一つのクラスタで構成されており、マスターブートレコード／パーティションテーブル、パーティションブートセクタ、ファイルアロケーションテーブル１、２、ルートディレクトリが書き込まれている。データ領域は、３９個のクラスタで構成されており全て未使用の状態である。
【００３８】
フォーマットシーケンスが終了した記録再生装置は、通常のアクセスとして、ライトコマンドにより、データ領域１６０に所定のデータとシステム情報領域１５０に対応するファイルアロケーションテーブル１、２を書き込む。また、リードコマンドによりデータ領域１６０から所定のデータを読み出す。
【００３９】
図５に、通常のアクセスが終了した状態の記憶手段の構成図を示す。右上左下斜線部が使用中データ領域１６１、空白部が未使用データ領域１６２である。
図６に、通常のアクセスが終了した状態の記憶手段のクラスタ番号とセクタアドレスを示す。ＦＡＴ１６やＦＡＴ３２のファイルシステムでは、通常クラスタ番号は２から、セクタアドレスはマスターブートレコード／パーティションテーブルが０から始まる。
［ＦＡＴ３２で初期化、使用後、ＦＡＴ１６で使用］
次に記録再生装置で初期化され、ライト処理やリード処理を行った後、ＦＡＴ１６のファイルシステム（第二のファイルシステムの一例）の記録再生装置で使用される際の動作について、図７にしたがって説明する。
【００４０】
記録媒体１００をＦＡＴ３２のファイルシステムの記録再生装置から抜き出し、ＦＡＴ１６のファイルシステムの記録再生装置に挿入する。
ＦＡＴ１６を扱える記録再生装置は、記録媒体１００が挿入されたことを検知すると（ステップ−ａ１）、仕様確認シーケンスを実行する（ステップ−ａ２）。
【００４１】
記録媒体１００は、仕様確認シーケンスの読み出しコマンドを確認すると（ステップ−ｂ１）、上述したように、記録媒体１００の固有情報を記録再生装置に返送する（ステップ−ｂ２）。
【００４２】
記録再生装置は、記録媒体１００の固有情報を取得すると（ステップ−ａ３）、固有情報に基づいて記録媒体１００に最適な電源やクロック周波数を設定する（ステップ−ａ４）。続いて、仕様確認シーケンスの終了した記録再生装置は、記録媒体１００のファイルシステムを確認するために、ファイルシステム確認シーケンスを実行する（ステップ−ａ５）。
【００４３】
記録媒体１００は、このファイルシステム確認シーケンスの読み出しコマンドを確認すると（ステップ−ｂ３）、上述したように、第１メモリ１４０のシステム情報領域１５０のメモリデータ３５３を記録再生装置へ返送する（ステップ−ｂ４）。
【００４４】
記録再生装置は、記録媒体１００の第１メモリ１４０のシステム情報領域１５０より、マスターブートレコード／パーティションテーブル、パーティションブートセクタを取得すると（ステップ−ａ６）、取得したマスターブートレコードのパーティションタイプや、パーティションブートセクタのセクタに関するいくつかのパラメータから計算した総クラスタの数から、記録媒体１００が取り扱い可能なファイルシステムであるかどうかを判断する（ステップ−ａ７）。記録媒体１００がＦＡＴ３２でフォーマットされているために、記録媒体１００が取り扱い不可能なファイルシステムであると判断すると、記録媒体１００が取り扱い可能なファイルシステム（ＦＡＴ１６）になるようにフォーマットシーケンスを実行する。（取り扱いが可能なファイルシステムの場合は、通常のアクセスとなる。）すなわち、記録再生装置は、第１メモリ１４０のシステム情報領域１５０に、ＦＡＴ１６のファイルシステムに対応したマスターブートレコード／パーティションテーブル、パーティションブートセクタ、ファイルアロケーションテーブル１、２、ルートディレクトリを書き込むコマンドを記録媒体１００へ発行する（ステップ−ａ８）。
【００４５】
コマンドデコーダ３００の初期化動作検出手段３１０は、この書き込むコマンドによりマスターブートレコード／パーティションテーブル、パーティションブートセクタのセクタアドレスに対する書き込みを検出し（ステップ−ｂ５）（それ以外の書き込みの場合は、通常のアクセスとなる）、第１メモリ１４０のシステム情報領域１５０のファイルシステムがＦＡＴ３２であり、書き込みデータからＦＡＴ１６の書き込みであることを確認すると（ステップ−ｂ６）（書き込みデータがＦＡＴ３２の場合は、第１メモリ１４０を初期化する）、アドレス変換信号３１１をイネーブル状態にして、コマンドデコーダ３００よりメモリアクセスタイミング信号３０８をメモリインターフェース３５０へ出力する（ステップ−ｂ７）。
【００４６】
メモリインターフェース３５０は、アドレス変換手段３４０でアドレスを第２メモリ１７０に変換して（記録再生装置からは、０００ｈのアドレスを設定してくるが、アドレス変換手段３４０によってＡ００ｈに変換される）（ステップ−ｂ８）、ＦＡＴ１６に対応したマスターブートレコード／パーティションテーブル、パーティションブートセクタ、ファイルアロケーションテーブル１、２、ルートディレクトリを第２メモリ１７０へ書き込む（ステップ−ｂ９）。図８に、フォーマットシーケンスの終了した記憶手段１００の構成図を示す。尚、アドレス変換信号３１１は、記録媒体１００の電源がオフされるまでイネーブル状態を保持する。
【００４７】
続いて、コントローラ１２０は、第１メモリ１４０のシステム情報領域１５０のファイルアロケーションテーブルを検索して、未使用のクラスタを検索する（ステップ−ｂ１０）。ＦＡＴ１６では、扱える最大容量が２ギガバイト（クラスタサイズが３２キロバイトのときであるが、本実施の形態でもその最大容量値そのまま採用する）であるので、本実施の形態では、１０個のクラスタで最大容量となる。本実施の形態では、システム情報領域で１クラスタ使用しているため、９クラスタの未使用クラスタを検索する。
【００４８】
続いて、これら未使用クラスタを一つの連続している空間として扱えるようにする（ステップ−ｂ１１）。図９に、第２メモリ１７０にＦＡＴ１６のシステム情報を書き込んだ状態の記録再生装置から見える記憶手段１００のクラスタ番号とセクタアドレスを示す。セクタアドレスの０は、第２メモリ１７０の先頭である。本実施の形態では、クラスタあたりのセクタ数を６４セクタとしているので、以降データ領域１６０の未使用のクラスタ毎に６４（１６進数では０４０）ずつアドレスがアップする。記録再生装置には連続しているアドレス空間に見えるが、図９に示す通り、物理的には不連続な空間であるため、アドレス変換手段３４０において、図６に示す対応するクラスタのセクタアドレスに変換してメモリ（記憶手段）に対してアクセスを行う。図１０にアドレスの変換テーブルを示す。コントローラ１２０は、未使用クラスタの組替え後、フォーマットシーケンス終了を記録装置へ返送する（ステップ−ｂ１２）。
【００４９】
記録再生装置は、ＦＡＴ１６のフォーマットシーケンスの終了を確認すると（ステップ−ａ９）、通常のアクセスとして、ライトコマンドにより、データ領域１６０に所定のデータとシステム情報領域１５０（実際には第２メモリ１７０に書き込まれる）に対応するファイルアロケーションテーブル１、２を書き込み、またリードコマンドによりデータ領域１６０に所定のデータを読み出す（ステップ−ａ１０）。このとき、同様にアドレス変換手段３４０において図１０に示すテーブルにしたがってアドレスを変換し、第２メモリ１７０を使用して、リード処理・ライト処理を実行する（ステップ−ｂ１３）。
【００５０】
図１１に、通常のアクセスが終了した状態の記憶手段の構成図を示す。左上右下斜線部がＦＡＴ１６使用中データ領域１６１、空白部が未使用データ領域１６２である。
また、ライトコマンドの処理時に、第１メモリ１４０のシステム情報領域１５０のファイルアロケーションテーブル１、２、ルートディレクトリ領域に対して、ＦＡＴ３２のシステムで同様の書き込みが行われたと想定して、書き込みを行うことにより、後にＦＡＴ３２の記録再生装置で使用するときに、読み出すことも可能である。このように、コントローラ１２０は、ＦＡＴ１６のファイルシステムをもとに動作中においても、第１メモリ１４０のシステム情報領域１５０にもＦＡＴ３２のファイルシステムに応じたシステム情報の変更を行うことも可能である。即ち、ＦＡＴ１６の記録再生装置で記録したデータについても、ＦＡＴ３２のシステム情報領域にその情報を記憶させることで、ＦＡＴ３２の記録再生装置においてＦＡＴ１６で記録したデータを読み出したり削除することが可能となり、さらに、ＦＡＴ１６で記録したデータの一部あるいは全部をＦＡＴ３２の記録再生装置が誤って上書きもしくは消去する事を防ぐことが出来るため、ＦＡＴ３２の記録再生装置とデータの共有が簡単に実現出来る。
【００５１】
なお、記録媒体１００を完全にＦＡＴ１６のファイルシステムで初期化する機能を実現するために、アドレス変換信号３１１がイネーブル状態中に、再び初期化動作検出手段３１０が、マスターブートレコード／パーティションテーブル、パーティションブートセクタのセクタアドレスに対する書き込みを検出し、第１メモリ１４０のシステム情報領域１５０のファイルシステムがＦＡＴ３２で、第２メモリ１７０のファイルシステムがＦＡＴ１６であり、書き込みデータからＦＡＴ１６の書き込みであることを確認すると、アドレス変換信号３１１をディセーブル状態にして、ＦＡＴ１６に対応したマスターブートレコード／パーティションテーブル、パーティションブートセクタ、ファイルアロケーションテーブル１、２、ルートディレクトリを第１メモリ１４０のシステム情報領域１５０に書き込み、第２メモリ１７０をクリアする機能を実現することも可能である。即ち、記録媒体１００をＦＡＴ１６のフォーマットのみで扱うようにするためには、記録媒体１００をＦＡＴ１６の記録再生装置に接続したままで、フォーマットコマンドを２回連続して実行すれば良い。ＦＡＴ１６に対応したマスターブートレコード／パーティションテーブル、パーティションブートセクタ、ファイルアロケーションテーブル１、２、ルートディレクトリは第１メモリ１４０のシステム情報領域１５０に書き込まれ、第２メモリ１７０のシステム情報領域はクリアされる。尚、この場合には記録媒体１００は最大記憶容量が２ギガバイトとなる。初期化しようとしているファイルシステムがＦＡＴ３２であった場合も、同様の処理を行い、ＦＡＴ３２のファイルシステムで完全に初期化する事も可能である。このように、コントローラ１２０は、第２メモリ１７０のファイルシステムをもとに動作中において、初期化動作検出手段３１０、記録再生装置によって初期化しようとする動きを検出したとき、第１メモリ１４０のシステム情報領域１５０に初期化しようとしているファイルシステムのシステム情報を格納し、第２メモリ１７０をクリアすることも可能である。
【００５２】
また、記録媒体１００を完全にＦＡＴ３２のファイルシステムで初期化する機能を実現するために、アドレス変換信号３１１がディセーブル状態中に、再び初期化動作検出手段３１０が、マスターブートレコード／パーティションテーブル、パーティションブートセクタのセクタアドレスに対する書き込みを検出し、第１メモリ１４０のシステム情報領域１５０のファイルシステムがＦＡＴ３２で、第２メモリ１７０のファイルシステムがＦＡＴ１６であり、書き込みデータからＦＡＴ３２の書き込みであることを確認すると、ＦＡＴ３２に対応したマスターブートレコード／パーティションテーブル、パーティションブートセクタ、ファイルアロケーションテーブル１、２、ルートディレクトリを第１メモリ１４０のシステム情報領域１５０に書き込み、第２メモリ１７０をクリアする機能を実現することも可能である。即ち、記録媒体１００をＦＡＴ３２のフォーマットのみで扱うようにするためには、記録媒体１００をＦＡＴ３２の記録再生装置に接続したままで、フォーマットコマンドをもう１回実行すれば良い。このように、コントローラ１２０は、第１メモリ１４０のシステム情報領域１５０をもとに動作中において、初期化動作検出手段３１０が、記録再生装置によって第１メモリ１４０のシステム情報領域１５０と同じファイルシステムで初期化しようとする動きを検出したとき、第１メモリ１４０のシステム情報領域１５０に、初期化しようとしているファイルシステムのシステム情報を格納し、第２メモリ１７０をクリアすることも可能である。
［ＦＡＴ３２で初期化、使用後、ＦＡＴ１６で使用、さらにＦＡＴ３２で使用］
次に、記録媒体１００が再びＦＡＴ３２のファイルシステムの記録再生装置で使用される場合について説明する。
【００５３】
このとき記録媒体１００は一度電源がオフされているためアドレス変換信号３１１はディセーブル状態に戻っている。
ＦＡＴ３２のファイルシステムの記録再生装置に再び挿入された場合、ＦＡＴ３２を扱える記録再生装置は、記録媒体１００が挿入されたことを検知すると、仕様確認シーケンスを実行し、記録媒体１００に最適な電源やクロック周波数を設定する。
【００５４】
仕様確認シーケンスの終了した記録再生装置は、ファイルシステム確認シーケンスを実行する。マスターブートレコードのパーティションタイプや、パーティションブートセクタのセクタに関するいくつかのパラメータから計算した総クラスタの数から、記録媒体１００が取り扱い可能なファイルシステムであると判断し、ファイルアロケーションテーブル１、２、ルートディレクトリを読み込み、読み込んだテーブルやディレクトリ情報より通常の書き込みや読み込みのアクセスを行う。ＦＡＴ１６の記録再生装置からのライトコマンドの処理時に、第１メモリ１４０のシステム情報領域１５０のファイルアロケーションテーブル１、２、ルートディレクトリ領域に対して、ＦＡＴ３２のシステムで同様の書き込みが行われたと想定して、書き込みを行っていた場合は、ここで書き込んだデータを読み出すことも可能である。
［ＦＡＴ３２で初期化、使用後、ＦＡＴ１６で使用、さらに別のＦＡＴ１６で使用］
次に、別のＦＡＴ１６のファイルシステムの記録再生装置で使用される場合（同じＦＡＴ１６のファイルシステムで、カードの電源を一度オフする状況も同じである）の動作について説明する。なお、ＦＡＴ３２で初期化、使用後、ＦＡＴ１６で使用したときの動作とほぼ同一の手順で実行されることから、図７の手順を追いながら説明する。
【００５５】
このとき記録媒体１００は一度電源がオフされているためアドレス変換信号３１１はディセーブル状態に戻っている。
ＦＡＴ１６のファイルシステムの記録再生装置に再び挿入された場合は、ＦＡＴ１６を扱える記録再生装置は、記録媒体１００が挿入されたことを検知すると（ステップ−ａ１）、仕様確認シーケンスを実行し（ステップ−ａ２）、記録媒体１００の固有情報を取得すると（ステップ−ａ３）記録媒体１００に最適な電源やクロック周波数を設定する（ステップ−ａ４）。仕様確認シーケンスの終了した記録再生装置は、ファイルシステム確認シーケンスを実行し（ステップ−ａ５）、第１メモリ１４０のシステム領域１５０のデータを取得し（ステップ−ａ６）、記録媒体１００が取り扱い不可能なファイルシステムであると判断すると（ステップ−ａ７）、記録媒体１００が取り扱い可能なファイルシステムになるようにフォーマットシーケンスを実行する（ステップ−ａ８）。
【００５６】
ただし、外部からのスイッチ（スイッチにより電源がオフされても状態が保持できる不揮発性のレジスタに、第２メモリ１７０が有効であることを記憶しておき、電源が再投入されたときにその不揮発性のレジスタの値が有効であった場合は、アドレス変換信号３１１をイネーブルにする）や、設定時間の未達（たとえば、第２メモリ１７０が有効になっているときに充電され、無効になったとき強制的に放電、電源が遮断されたときは、特定の時定数で放電される回路をもって、電源が再投入されたときにその回路の電圧を測定し、一定の電圧以上であった場合は、設定時間に到達していないと判断して、アドレス変換信号３１１をイネーブルにする）、所定の条件（たとえば、初期化動作検出手段３１０が、第１メモリ１４０が既に使用されている間に、記録再生装置によって第１メモリ１４０のシステム情報領域１５０と同じファイルシステムで初期化しようとする動きを検出していない）を満足する場合は、アドレス変換信号３１１はイネーブルのままであり、アドレス変換手段３４０において前回作成したテーブルをもとにアドレスを変換することにより、仕様確認シーケンスで記録媒体１００が取り扱い可能なファイルシステムであると判断し、図１１に示すセクタアドレスにアクセスできることになり、一回目にＦＡＴ１６の記録再生装置で書き込んだデータに対して、読み出し、再書き込み、削除機能を実現させる事も可能である。
【００５７】
初期化動作検出手段３１０は、マスターブートレコード／パーティションテーブル、パーティションブートセクタのセクタアドレスに対する書き込みを検出し（ステップ−ｂ５）、第１メモリ１４０のシステム情報領域１５０のファイルシステムがＦＡＴ３２で、書き込みデータからＦＡＴ１６の書き込みであることを確認すると（ステップ−ｂ６）、アドレス変換信号３１１をイネーブル状態にして、コマンドデコーダ３００よりメモリアクセスタイミング信号３０８をメモリインターフェース３５０へ出力し（ステップ−ｂ７）、メモリインターフェース３５０は、アドレス変換手段３４０でアドレスを第２メモリ１７０に変換して（ステップ−ｂ８）、ＦＡＴ１６に対応したマスターブートレコード／パーティションテーブル、パーティションブートセクタ、ファイルアロケーションテーブル１、２、ルートディレクトリを第２メモリ１７０へ書き込む（ステップ−ｂ９）。
【００５８】
ここで、コントローラ１２０は、第１メモリ１４０のシステム情報領域１５０のファイルアロケーションテーブルを検索して、未使用のクラスタを検索する（ステップ−ｂ１０）。ＦＡＴ１６では、扱える最大容量が２ギガバイト（クラスタサイズが３２キロバイトのときであるが、本実施の形態でもその最大容量値そのまま採用する）であるので、本実施の形態では、９個のクラスタで最大容量となる。
【００５９】
図１２に、二回目の第２メモリ１７０にＦＡＴ１６のシステム情報を書き込んだ状態の記録再生装置から見える記憶手段のクラスタ番号とセクタアドレスを示す。セクタアドレスの０は、第２メモリ１７０の先頭である。
【００６０】
本実施の形態では、システム情報領域で１クラスタ使用しているため、９クラスタの未使用クラスタを検索し、これらを一つの連続している空間として扱えるようにする（ステップ−ｂ１１）。尚、本実施の形態では、一回目にＦＡＴ１６の記録再生装置で第２メモリ１７０で使用して仮想的に書き込んだクラスタに対しては、第１メモリ１４０のシステム情報領域１５０のファイルアロケーションテーブル１、２、ルートディレクトリ領域に対して、ＦＡＴ３２のシステムで同様の書き込みが行われたと想定して、書き込みを行っているのでＦＡＴ未使用クラスタとみなされないために、新たな２ギガバイトの空間が構成される。
【００６１】
記録再生装置は、ＦＡＴ１６のフォーマットシーケンスの終了を確認すると（ステップ−ａ９）、通常のアクセスとして、ライトコマンドにより、データ領域１６０に所定のデータとシステム情報領域１５０（実際には第２メモリ１７０に書き込まれる）に対応するファイルアロケーションテーブル１、２を書き込み、またリードコマンドによりデータ領域１６０に所定のデータを読み出す（ステップ−ａ１０）。このとき、同様にアドレス変換手段３４０において図１０に示すテーブルにしたがってアドレスを変換し、第２メモリ１７０を使用して、リード処理・ライト処理を実行する（ステップ−ｂ１３）。
【００６２】
以上のように、本実施の形態によれば、大容量を扱えるファイルシステム（例えばＦＡＴ３２）で初期化されている記録媒体においても、従来のファイルシステム（例えばＦＡＴ１６）の記録再生装置において初期化を伴わずに記録媒体１００内にあるデータ領域１６０を使用することができ、異なるファイルシステムの機器で１つの記録媒体を共用できる。すなわち、２ギガバイトよりも大きいＦＡＴ３２のメモリカードをＦＡＴ１６の機器（ＦＡＴ１６の機器では２ギガバイト未満でしか利用出来ない）で使用する際に、ＦＡＴ１６（ファイルアロケーションテーブル）の情報のみを別の領域に保存し、実際のデータはＦＡＴ３２と共通の領域（データ領域）に保存することで、ＦＡＴ１６とＦＡＴ３２の機器で１つのメモリカードを共用可能とすることができ、よって未だにＦＡＴ１６のフォーマットしか取り扱えない機器においても、２ギガバイトを越えるメモリカードを使用することができる。
【００６３】
また１つの記録媒体１００において、ＦＡＴ１６の機器からは２ギガバイト未満の記憶媒体、ＦＡＴ３２の機器からは２ギガバイトよりも大きい（実際のメモリカードの容量）記憶媒体として扱えるようにすることができる。
【００６４】
なお、本実施の形態では、未使用の記録媒体１００がＦＡＴ３２のファイルシステムの記録再生装置で初期化され、ライト処理やリード処理を行った後、ＦＡＴ１６のファイルシステムの記録再生装置で使用される際の動作について説明したが、未使用の記録媒体１００がＦＡＴ１６のファイルシステムの記録再生装置で初期化され、ライト処理やリード処理を行った後、ＦＡＴ３２のファイルシステムの記録再生装置で使用される際も同様に動作できることは明白である。
【００６５】
ただしＦＡＴ３２を扱える記録再生装置は、下位互換機能を確保するためファイルシステム確認シーケンスにおいて記録媒体１００がＦＡＴ１６と判断しても取り扱い可能であると判断することもできるが、ここではＦＡＴ３２として使用できないため取り扱い不可能と判断する。
【００６６】
また本発明の実施の形態では、第１メモリ１４０と第２メモリ１７０は、構成上分離して説明しているが、物理的に同一のフラッシュメモリ上で実現されていても問題ない。更に、第２メモリ１７０を第１メモリ１４０のデータ領域１６０の一部として構成してもよく、第２メモリ１７０としても特定領域を、データ領域１６０の初めから連続して確保すること、データ領域１６０の未記録領域を選択して確保することが可能である。このとき、本発明の効果が得られることは明白である。
【００６７】
また本発明の実施の形態では、記録媒体としてＳＤメモリカードを想定したが、コンパクトフラッシュ（登録商標）やメモリースティック（登録商標）であっても良い。
また本発明の実施の形態では、第２メモリ１７０を記録媒体１００のシステム情報領域として動作するためのアドレス変換信号３１１のイネーブル状態をディセーブル状態する特定のイベントを、記録媒体１００の電源が遮断（オフ）されることとしているが、この特定のイベントを、初期化動作検出手段３１０が、第１メモリ１４０が既に使用されている間に記録再生装置によって記録媒体１００を第１メモリ１４０のシステム情報領域１５０と同じファイルシステムで初期化しようとする動きを検出したとき、あるいは記録媒体１００を使用してから設定時間に到達した（一定時間が経過した）とき、あるいは記録媒体１００に外部のスイッチを付加し外部のスイッチの動作を確認したとき、あるいは第２メモリ１７０が、無効になってから設定時間に到達した（一定時間が経過した）ときとすることもできる。
【００６８】
また本発明の実施の形態では、規格で定められた形状の変更を伴わずに、大容量の記憶領域の中から特定の記憶領域を選択することができる記録媒体及び記憶領域切り替え方法を提供することを目的としているが、利用者の利便性を考慮して、現在使用可能な記憶領域を表示できるようにしても良い。図１３を用いて具体例を説明する。図１３は、本発明の実施の形態における記録媒体の外観を示している。図１３では、記録媒体の背面部に二つのＬＥＤ１２１０、ＬＥＤ１２２０を具備している。ＬＥＤ１２１０は、記録媒体１００の全体が使用可能な場合に点灯、ＬＥＤ１２２０は、記録媒体１００の特定の領域が使用可能な場合に点灯させる。これにより、記録媒体を記録再生装置に接続して利用中でも、利用者は、使用可能な記録領域を識別することができる。ただし、具備するＬＥＤの個数やＬＥＤの点灯方法は、上記の例に限定するものではない。
【００６９】
また、使用可能な記憶領域が切り替わったことを利用者へ伝達する手段を装備しても良い。例えば、記録媒体内部に音源を持ち音で伝達したり、ＬＥＤを持ちＬＥＤを点滅させたりして伝達する手段が考えられる。
【産業上の利用可能性】
【００７０】
本発明にかかる記録媒体及び記憶領域切り替え方法は、大容量を扱えるファイルシステム（例えばＦＡＴ３２）で初期化されている記録媒体においても、従来のファイルシステム（例えばＦＡＴ１６）の記録再生装置において初期化を伴わずに記録媒体内にある特定の記憶領域を使用することができ、ファイルシステムの異なる記録再生装置間で共用して使用する際に有用である。特に、デジタルカメラ等の記録再生装置に接続されるメモリカードに好適に利用できるものである。
【図面の簡単な説明】
【００７１】
【図１】本発明の実施の形態における記録媒体のブロック図である。
【図２】本発明の実施の形態におけるインターフェースの詳細を示す図である。
【図３】本発明の実施の形態におけるコントローラのブロック図である。
【図４】本発明の実施の形態におけるＦＡＴ３２フォーマットシーケンスの終了した記憶手段の構成を示す図である。
【図５】本発明の実施の形態におけるＦＡＴ３２の通常のアクセスが終了した状態の記憶手段の構成を示す図である。
【図６】本発明の実施の形態におけるＦＡＴ３２の通常のアクセスが終了した状態の記憶手段のクラスタ番号とセクタアドレスを示す図である。
【図７】本発明の実施の形態における、ＦＡＴ１６のファイルシステムの記録再生装置でＦＡＴ３２のファイルシステムの記録媒体を使用するときの手順を示すフローチャートである。
【図８】本発明の実施の形態におけるＦＡＴ１６フォーマットシーケンスの終了した記憶手段の構成を示す図である。
【図９】本発明の実施の形態における第２メモリ１７０にＦＡＴ１６のシステム情報を書き込んだ状態の記録再生装置から見える記憶手段のクラスタ番号とセクタアドレスを示す図である。
【図１０】本発明の実施の形態におけるアドレスの変換テーブルである。
【図１１】本発明の実施の形態における二回目の第２メモリ１７０にＦＡＴ１６のシステム情報を書き込んだ状態の記録再生装置から見える記憶手段のクラスタ番号とセクタアドレスを示す図である。
【図１２】本発明の実施の形態における通常のアクセスが終了した状態の記憶手段の構成図である。
【図１３】本発明の実施の形態における記録媒体の外観である。
【符号の説明】
【００７２】
１００  記録媒体
１１０  インターフェース
１２０  コントローラ
１３０  内部レジスタ
１４０  第１メモリ
１５０  システム情報領域
１６０  データ領域
１６１  使用中データ領域
１６２  未使用データ領域
１７０  第２メモリ
２００  インターフェースドライバ
３００  コマンドデコーダ
３０１  コマンド
３０２  レスポンス
３０３  アドレス取得タイミング信号
３０４  内部レジスタアドレス
３０５  内部レジスタ値
３０６  アドレス
３０７  データ
３０８  メモリアクセスタイミング信号
３１０  初期化動作検出手段
３１１  アドレス変換信号
３３０  アドレス取得手段
３３１  取得アドレス
３４０  アドレス変換手段
３５０  メモリインターフェース
３５１  メモリ制御信号
３５２  メモリアドレス
３５３  メモリデータ
１２１０  ＬＥＤ
１２２０  ＬＥＤ
【図１】
2006209562.tif 000003
【図２】
2006209562.tif 000004
【図３】
2006209562.tif 000005
【図４】
2006209562.tif 000006
【図５】
2006209562.tif 000007
【図６】
2006209562.tif 000008
【図７】
2006209562.tif 000009
【図８】
2006209562.tif 000010
【図９】
2006209562.tif 000011
【図１０】
2006209562.tif 000012
【図１１】
2006209562.tif 000013
【図１２】
2006209562.tif 000014
【図１３】
2006209562.tif 000015